(57)【要約】【課題】チケットに印刷される顔写真の改竄を防止し、転売目的のチケット購入を防止できるチケット発行装置及びチケット発行方法を提供する。【解決手段】チケット発行装置２０は、ユーザ端末１０から顔画像データを含むチケット発行要求を受け付けるサーバ装置２１と、サーバ装置２１から前記チケット発行要求を受け取ると、チケット情報及び前記顔画像データを出力してチケットの発行処理を行う発行処理部２２と、発行処理部２２から前記チケット情報及び前記顔画像データを受け取り、チケット基材の一方の面に、前記チケット情報を印字し、前記顔画像データに基づく顔画像を熱転写により印刷して顔写真付きチケット３０を作成するプリンタ２４と、を備える。顔写真付きチケット３０の顔写真領域では、前記顔画像が形成された色材受容層を含む積層体が前記チケット基材に接着されている。【選択図】図１
2017157082.tif 000002
【特許請求の範囲】
【請求項１】
ユーザ端末から顔画像データを含むチケット発行要求を受け付けるサーバ装置と、
前記サーバ装置から前記チケット発行要求を受け取ると、チケット情報及び前記顔画像データを出力してチケットの発行処理を行う発行処理部と、
前記発行処理部から前記チケット情報及び前記顔画像データを受け取り、チケット基材の一方の面に、前記チケット情報を印字し、前記顔画像データに基づく顔画像を熱転写により印刷して顔写真付きチケットを作成するプリンタと、
を備え、
前記顔写真付きチケットの顔写真領域では、前記顔画像が形成された色材受容層を含む積層体が前記チケット基材に接着されていることを特徴とするチケット発行装置。
【請求項２】
前記プリンタは、中間転写媒体の色材受容層に前記顔画像を形成し、前記顔画像が形成された色材受容層を含む積層体を前記中間転写媒体から前記チケット基材の前記顔写真領域に転写することを特徴とする請求項１に記載のチケット発行装置。
【請求項３】
前記プリンタは、前記チケット基材の前記顔写真領域に、色材受容層が露出するように前記積層体を転写し、前記チケット基材上の前記色材受容層に前記顔画像を形成することを特徴とする請求項１に記載のチケット発行装置。
【請求項４】
前記チケット基材の少なくとも一部に絵柄が印刷されており、前記絵柄の上に前記積層体が転写され、前記積層体を通して前記絵柄が目視可能となっていることを特徴とする請求項１乃至３のいずれかに記載のチケット発行装置。
【請求項５】
サーバ装置が、ユーザ端末から顔画像データを含むチケット発行要求を受け付ける工程と、
発行処理部が、前記サーバ装置から前記チケット発行要求を受け取り、チケット情報及び前記顔画像データを出力してチケットの発行処理を行う工程と、
プリンタが、前記発行処理部から前記チケット情報及び前記顔画像データを受け取り、チケット基材の一方の面に、前記チケット情報を印字し、前記顔画像データに基づく顔画像を熱転写により印刷して顔写真付きチケットを作成する工程と、
を備え、
前記顔写真付きチケットの顔写真領域では、前記顔画像が形成された色材受容層を含む積層体が前記チケット基材に接着されていることを特徴とするチケット発行方法。
【請求項６】
前記プリンタは、中間転写媒体の色材受容層に前記顔画像を形成し、前記顔画像が形成された色材受容層を含む積層体を前記中間転写媒体から前記チケット基材の前記顔写真領域に転写することを特徴とする請求項５に記載のチケット発行方法。
【請求項７】
前記プリンタは、前記チケット基材の前記顔写真領域に、色材受容層が露出するように前記積層体を転写し、前記チケット基材上の前記色材受容層に前記顔画像を形成することを特徴とする請求項５に記載のチケット発行方法。
【請求項８】
前記チケット基材の少なくとも一部に絵柄が印刷されており、前記プリンタは前記絵柄の上に前記積層体を転写し、前記積層体を通して前記絵柄が目視可能となっていることを特徴とする請求項５乃至７のいずれかに記載のチケット発行方法。
【発明の詳細な説明】
【技術分野】
【０００１】
本発明は、チケットの転売を防止するチケット発行装置及びチケット発行方法に関する。
【背景技術】
【０００２】
コンサートやスポーツ観戦などのイベントでは、通常、主催者が予めチケットの発行を行い、イベント会場においてチケットの提示を求める入場方法が採られている。人気のあるイベントでは、チケットの購入希望者が殺到し、入手が困難なプレミアチケットとなる。このようなプレミアチケットを転売目的で購入し、不当な利潤をあげる者がおり、純粋なファンがチケットを入手することがさらに困難になることがあった。
【０００３】
転売目的でのチケット購入を抑制するために、チケット購入者（使用者）の顔写真を印刷したチケットを発行し、イベント会場にて係員がチケットの顔写真と入場者の顔を目視で比較し、本人確認された場合に入場を許可することが行われている。チケットの転売をさらに効果的に防止するためには、チケットに印刷する顔写真の改竄を防止する必要がある。
【先行技術文献】
【特許文献】
【０００４】
【特許文献１】特開２０１２−２２０９７３号公報
【発明の概要】
【発明が解決しようとする課題】
【０００５】
本発明は、上記従来の実状に鑑みてなされたものであり、チケットに印刷される顔写真の改竄を防止し、転売目的のチケット購入を防止できるチケット発行装置及びチケット発行方法を提供することを課題とする。
【課題を解決するための手段】
【０００６】
本発明の一態様によるチケット発行装置は、ユーザ端末から顔画像データを含むチケット発行要求を受け付けるサーバ装置と、前記サーバ装置から前記チケット発行要求を受け取ると、チケット情報及び前記顔画像データを出力してチケットの発行処理を行う発行処理部と、前記発行処理部から前記チケット情報及び前記顔画像データを受け取り、チケット基材の一方の面に、前記チケット情報を印字し、前記顔画像データに基づく顔画像を熱転写により印刷して顔写真付きチケットを作成するプリンタと、を備え、前記顔写真付きチケットの顔写真領域では、前記顔画像が形成された色材受容層を含む積層体が前記チケット基材に接着されていることを特徴とするものである。
【０００７】
本発明の一態様によるチケット発行装置において、前記プリンタは、中間転写媒体の色材受容層に前記顔画像を形成し、前記顔画像が形成された色材受容層を含む積層体を前記中間転写媒体から前記チケット基材の前記顔写真領域に転写することを特徴とする。
【０００８】
本発明の一態様によるチケット発行装置において、前記プリンタは、前記チケット基材の前記顔写真領域に、色材受容層が露出するように前記積層体を転写し、前記チケット基材上の前記色材受容層に前記顔画像を形成することを特徴とする。
【０００９】
本発明の一態様によるチケット発行装置は、前記チケット基材の少なくとも一部に絵柄が印刷されており、前記絵柄の上に前記積層体が転写され、前記積層体を通して前記絵柄が目視可能となっていることを特徴とする。
【００１０】
本発明の一態様によるチケット発行方法は、サーバ装置が、ユーザ端末から顔画像データを含むチケット発行要求を受け付ける工程と、発行処理部が、前記サーバ装置から前記チケット発行要求を受け取り、チケット情報及び前記顔画像データを出力してチケットの発行処理を行う工程と、プリンタが、前記発行処理部から前記チケット情報及び前記顔画像データを受け取り、チケット基材の一方の面に、前記チケット情報を印字し、前記顔画像データに基づく顔画像を熱転写により印刷して顔写真付きチケットを作成する工程と、を備え、前記顔写真付きチケットの顔写真領域では、前記顔画像が形成された色材受容層を含む積層体が前記チケット基材に接着されていることを特徴とするものである。
【００１１】
本発明の一態様によるチケット発行方法において、前記プリンタは、中間転写媒体の色材受容層に前記顔画像を形成し、前記顔画像が形成された色材受容層を含む積層体を前記中間転写媒体から前記チケット基材の前記顔写真領域に転写することを特徴とする。
【００１２】
本発明の一態様によるチケット発行方法において、前記プリンタは、前記チケット基材の前記顔写真領域に、色材受容層が露出するように前記積層体を転写し、前記チケット基材上の前記色材受容層に前記顔画像を形成することを特徴とする。
【００１３】
本発明の一態様によるチケット発行方法において、前記チケット基材の少なくとも一部に絵柄が印刷されており、前記プリンタは前記絵柄の上に前記積層体を転写し、前記積層体を通して前記絵柄が目視可能となっていることを特徴とする。
【発明の効果】
【００１４】
本発明によれば、チケットに印刷される顔写真の改竄を防止し、転売目的のチケット購入を防止できる。
【図面の簡単な説明】
【００１５】
【図１】本発明の実施形態によるチケット発行システムのブロック構成図である。
【図２】顔写真付きチケットの平面図である。
【図３】中間転写媒体の斜視図である。
【図４】中間転写媒体の断面図である。
【図５】チケットの顔写真部分の縦断面図である。
【図６】（ａ）〜（ｄ）は熱転写方法を説明する工程図である。
【図７】受容層転写材の断面図である。
【図８】チケットの顔写真部分の縦断面図である。
【図９】プリンタの構成例を示す図である。
【図１０】転写シートの平面図である。
【図１１】変形例による顔写真付きチケットの平面図である。
【発明を実施するための形態】
【００１６】
以下、本発明の実施の形態を図面に基づいて説明する。
【００１７】
図１は、本発明の実施形態に係るチケット発行システムの構成を示すブロック図である。チケット発行システムは、ユーザ端末１０と、チケット発行装置２０とを備え、ユーザＰからインターネット経由でイベントのチケットの発行要求を受け付け、ユーザＰの顔写真を印刷したチケット３０を発行する。
【００１８】
ユーザ端末１０は、チケットの利用者が、チケットの発行（購入）を申し込むために用いる装置であり、チケット発行装置２０と通信する機能を有する。例えば、ユーザ端末１０として、スマートフォン等の携帯端末１１やパソコン１２を用いることができる。また、コンビニエンスストアなどの店舗に設置されたキオスク端末１３でもよい。
【００１９】
チケット発行装置２０は、ＷＥＢサーバ２１、発行処理部２２、チケット情報記憶部２３、及びプリンタ２４を有する。ＷＥＢサーバ２１は、インターネットを介して接続してきたユーザ端末１０に、チケット発行用のホームページを提示し、このホームページを介してチケットの発行要求を受け付ける。ＷＥＢサーバ２１及び発行処理部２２は例えばコンピュータで構成されている。
【００２０】
チケット発行要求には、ユーザＰの氏名や住所等のユーザ情報と、ユーザＰの顔画像データとが含まれる。顔画像データは、携帯端末１１に搭載されているデジタルカメラを用いて自己の顔を撮影して生成できる。また、店舗に設置された証明写真撮影装置とキオスク端末１３とが通信可能に接続され、証明写真撮影装置で撮影・生成した顔画像データがキオスク端末１３に転送され、チケット発行要求と共にＷＥＢサーバ２１へ送信されるようにしてもよい。アリーナ席／スタンド席や、１階席／２階席など、イベント会場での座席種類が指定できる場合は、チケット発行要求に座席情報も含まれる。ＷＥＢサーバ２１は、ユーザ端末１０から受け付けたチケット発行要求を発行処理部２２に転送する。
【００２１】
チケット情報記憶部２３は、個々のコンサートやスポーツイベントについてのチケット発行状態を管理するためのデータベースサーバである。例えば、チケット情報記憶部２３には、個々のイベント会場の座席の配置に関する情報、及び各座席について発券済であるか否かを示す情報が格納されている。
【００２２】
発行処理部２２は、ＷＥＢサーバ２１からチケット発行要求を受信すると、チケット情報記憶部２３へ空席の照会を行う。空席が確認できた場合、発行処理部２２は、チケット情報記憶部２３から座席番号を取得し、チケットの発行処理を行う。例えば、発行処理部２２は、イベントの名称、日時、場所、座席番号等のチケット情報と、顔画像データとをプリンタ２４へ送信する。
【００２３】
プリンタ２４は、チケット情報及び顔画像データを受信すると、チケット３０を発行する。図２に示すように、チケット３０には、チケット情報３１と、ユーザＰの顔写真３２がプリントされている。発行されたチケット３０は、発行要求に含まれている住所、氏名に基づいて、郵送等でユーザＰへ配送される。
【００２４】
プリンタ２４は、熱転写方法を用いて、チケット３０の顔写真３２を熱転写画像として形成する。熱転写画像は、色材層を含む転写シートを加熱し、色材層の色材を選択的に受容層に移行して形成された画像である。本実施形態では、剥離可能に設けられた受容層を有する中間転写媒体に熱転写画像を形成し、熱転写画像が形成された受容層を中間転写媒体からチケット３０上に転写する第１の熱転写方法、又は、離型層、受容層及び接着層を積層した転写シートから接着層及び受容層をチケット３０上に転写し、チケット３０上に転写された受容層に色材を移行して熱転写画像を形成する第２の熱転写方法を用いる。第１の熱転写方法及び第２の熱転写方法について以下に説明する。
【００２５】
［中間転写媒体を用いた第１の熱転写方法］
図３に示すように、中間転写媒体１１０は、基材１１１と、基材１１１上に設けられた複数の第１転写体１２０と、基材１１１上の各第１転写体１２０の間に設けられた第２転写体１３０と、を備えている。例えば第１転写体１２０及び第２転写体１３０は、基材１１１の長手方向に沿って並べられている。
【００２６】
基材１１１を構成する材料は、第１転写体１２０および第２転写体１３０を適切に保持することができる限りにおいて、特に限定されない。例えば基材１１１を構成する材料として、ポリエチレンテレフタレートやポリエチレンナフタレート等のポリエステル、ポリプロピレン、ポリカーボネート、酢酸セルロース、ポリエチレン誘導体、ポリアミド、ポリメチルペンテン等のプラスチックの延伸または未延伸フィルムが挙げられる。また、これらの材料を２種以上積層した複合フィルムを使用することもできる。基材１１１の厚さは、基材１１１の強度および耐熱性等が適切になるように材料に応じて適宜選択されるが、例えば１〜１００μｍ程度となっている。
【００２７】
基材１１１上には、後述するプリンタ２４Ａによって検知され得る複数の検知マーク１１２が設けられていてもよい。各検知マーク１１２は、例えば、各転写体１２０，１３０の配置ピッチと同一のピッチで設けられている。
【００２８】
図３においては、第１転写体１２０および第２転写体１３０が交互に並ぶ例が示されているが、これに限られることはない。例えば、１つの第１転写体１２０の後に２つの第２転写体１３０が連続して並んでもよい。
【００２９】
図４は、第１転写体１２０及び第２転写体１３０の層構成を示す中間転写媒体１１０の断面図である。図４に示すように、第１転写体１２０は、基材１１１側から順に配置された第１剥離層１２１、第１保護層１２２および受容層１２４を有している。また第２転写体１３０は、基材１１１側から順に配置された第２剥離層１３１、第２保護層１３２および接着層１３４を有している。
【００３０】
なお、第１保護層１２２と受容層１２４との間の結合性が低い場合、図４に示すように、第１保護層１２２と受容層１２４との間に第１中間層１２３が設けられていてもよい。同様に、第２保護層１３２と接着層１３４との間の結合性が低い場合、第２保護層１３２と接着層１３４との間に第２中間層１３３が設けられていてもよい。
【００３１】
受容層１２４は、後述する転写シート１５１の色材層から熱によって移行する色材を受容するよう構成された層である。受容層１２４を形成するための材料としては、昇華性染料または熱溶融性インキ等の熱移行性の色材を受容し易い樹脂材料などが使用される。例えば、塩化ビニル系樹脂、アクリル−スチレン系樹脂またはポリエステル樹脂などが挙げられる。
【００３２】
第１転写体１２０が後述する受像体１６１上に転写される際、受容層１２４が受像体１６１の表面に接することになる。ここで、受像体１６１の表面が接着性を有する層で構成されている場合は、受容層１２４自体の接着性は特に要求されない。一方、受像体１６１の表面が接着性を有さない場合、受容層１２４は、塩化ビニル−酢酸ビニル共重合体などの接着性を有する樹脂材料を含むことが好ましい。
【００３３】
第２転写体１３０の最外面を構成する接着層１３４は、先行して受像体１６１上に転写されている第１転写体１２０に対して第２転写体１３０を接着させるための層である。接着層１３４を構成する材料としては、塩化ビニル−酢酸ビニル共重合体などの接着性を有する樹脂材料が用いられる。
【００３４】
第１保護層１２２及び第２保護層１３２は、受像体１６１上に転写された受容層１２４を保護し、これによって、後述する印刷物１６５に耐久性を付与するための層である。保護層１２２，１３２を構成する材料としては、スチレン−アクリル系樹脂やポリビニルアルコールなどが用いられる。
【００３５】
第１剥離層１２１及び第２剥離層１３１は、中間転写媒体１１０に対する第１転写体１２０および第２転写体１３０の離型性を向上させるための層である。剥離層１２１，１３１を構成する材料としては、アクリル系樹脂やポリウレタン樹脂などを用いることができる。
【００３６】
第１中間層１２３は、第１保護層１２２及び受容層１２４の両方に対する十分な接着性を有する層である。同様に、第２中間層１３３は、第２保護層１３２及び接着層１３４の両方に対する十分な接着性を有する層である。第１中間層１２３を構成する材料は、第１保護層１２２の材料及び受容層１２４の材料に応じて適宜選択される。同様に、第２中間層１３３を構成する材料は、第２保護層１３２の材料及び接着層１３４の材料に応じて適宜選択される。
【００３７】
この中間転写媒体１１０を用いることによって作製される印刷物１６５について説明する。図５は、印刷物１６５を示す縦断面図であり、チケット３０の顔写真３２部分の縦断面図に相当する。
【００３８】
図５に示すように、印刷物１６５は、受像体１６１と、受像体１６１側から順に配置された第１転写体１２０および第２転写体１３０と、を備えている。第１転写体１２０は、受像体１６１側から順に配置された受容層１２４、第１保護層１２２および第１剥離層１２１を有している。第２転写体１３０は、受像体１６１側から順に配置された接着層１３４、第２保護層１３２及び第２剥離層１３１を有している。なお、上述の中間転写媒体１１０の場合と同様に、第１保護層２２と受容層１２４との間の結合性が低い場合、第１保護層１２２と受容層１２４との間に第１中間層１２３がさらに設けられていてもよい。同様に、第２保護層１３２と接着層１３４との間の結合性が低い場合、第２保護層１３２と接着層１３４との間に第２中間層１３３がさらに設けられていてもよい。
【００３９】
受像体１６１はチケット基材であり、例えば、天然繊維紙やコート紙を材料として構成されている。
【００４０】
次に、図６（ａ）〜（ｄ）を用いて、中間転写媒体１１０を用いて印刷物１６５を製造する方法について説明する。中間転写媒体１１０を用いて印刷物１６５を製造するためのプリンタ２４Ａは、色材層を含む転写シート１５１を中間転写媒体１１０の第１転写体１２０に対して押し付け、色材層の色材を第１転写体１２０の受容層１２４に移行させる１次転写部１５０と、中間転写媒体１１０の第１転写体１２０及び第２転写体１３０を受像体１６１上に転写する２次転写部１６０と、を備えている。
【００４１】
上述のように、中間転写媒体１１０の基材１１１上には第１転写体１２０および第２転写体１３０が順次設けられるが、図６（ａ）〜（ｄ）においては、説明の便宜上、一組の第１転写体１２０及び第２転写体１３０のみが示されている。
【００４２】
まず、矢印Ｔで表される搬送方向に沿って中間転写媒体１１０を搬送し、中間転写媒体１１０の第１転写体１２０を、１次転写部１５０のサーマルヘッド１５２とプラテンロール１５３との間に到達させる。次に、図６（ａ）に示すように、サーマルヘッド１５２を用いて、プラテンロール１５３によって支持されている第１転写体１２０に対して転写シート１５１を押し付ける。この際、サーマルヘッド１５２は、チケット発行要求に含まれているユーザＰの顔画像データに対応したパターンで、転写シート１５１を加熱する。これによって、転写シート１５１の色材層の色材が選択的に第１転写体１２０の受容層１２４に移行する。この結果、受容層１２４に、ユーザＰの顔画像が形成される。その後、転写シート１５１が中間転写媒体１１０の第１転写体１２０から剥がされる。
【００４３】
続いて、受容層１２４に顔画像が形成された第１転写体１２０は、２次転写部１６０のヘッド１６２とプラテンロール１６３との間まで搬送される。その後、図６（ｂ）に示すように、ヘッド１６２を用いて中間転写媒体１１０の基材１１１を、プラテンロール１６３によって支持されている受像体１６１に対して押し付ける。これによって、図６（ｃ）に示すように、中間転写媒体１１０の第１転写体１２０が受像体１６１上に転写される。このようにして、受像体１６１上に、受容層１２４によって受容された色材に基づく顔画像が表される。ヘッド１６２を用いて中間転写媒体１１０の基材１１１を受像体１６１に対して押し付ける際、ヘッド１６２が基材１１１を加熱してもよい。
【００４４】
次に、図６（ｄ）に示すように、中間転写媒体１１０の第２転写体１３０を、２次転写部１６０のヘッド１６２とプラテンロール１６３との間まで搬送する。その後、第２転写体１３０を受像体１６１上の第１転写体１２０上に転写する。このようにして、中間転写媒体１１０を用いて、チケット３０の顔写真３２を熱転写画像として形成することができる。
【００４５】
［チケット基材上に転写した受容層に熱転写画像を形成する第２の熱転写方法］
図７は、チケット基材上に受容層を転写する受容層転写材の縦断面図である。受容層転写材２０１は、基材２０２の一方の面に離型層２０３、色材受容層２０４、アンカー層２０９、レリーフ形成層２０５、反射層２０６及び接着層２０７が順次設けられている。この受容層転写材２０１と被転写体であるチケット基材とを、接着層２０７とチケット基材とが接するように重ね合わせて、サーマルヘッド等の加熱手段で加熱することで、チケット基材に接着層２０７、反射層２０６、レリーフ形成層２０５及び色材受容層２０４が転写される。
【００４６】
ここで、色材受容層２０４、アンカー層２０９、レリーフ形成層２０５、反射層２０６及び接着層２０７の積層体を転写層２０８と呼称する。なお、基材２０２と離型層２０３は、熱転写後のチケット基材から受容層転写材２０１を剥離する際に、チケット基材から剥離して分離される部分である。
【００４７】
反射層２０６はレリーフ形成層２０５のレリーフ形成面側に設けられる。図７の例では、色材受容層２０４、レリーフ形成層２０５のレリーフ形成面、反射層２０６はこの順序で積層されているが、これは、レリーフ形成層２０５のレリーフ形成面が、色材受容層２０４から離れる方向を向いているためである。レリーフ形成層２０５のレリーフ形成面は、色材受容層２０４に向き合っていても良く、その場合には、色材受容層２０４、反射層２０６、レリーフ形成面の順序で積層される。
【００４８】
レリーフ形成層２０５には、白色拡散若しくは反射、回折、散乱などの作用により特定の角度範囲に白色光を発現する機能を発揮するレリーフ構造が形成されている。
【００４９】
色材受容層２０４には、色材により表現された顔画像が形成される。従って、受容層転写材２０１からチケット基材に、レリーフ形成層２０５と色材受容層２０４を含む転写層２０８を転写し、この転写層２０８に色材で顔画像を形成することによって、レリーフ形成層２０５からの白色光と、色材により表現された顔画像を併せ持つ高意匠性のユーザ顔画像が得られる。
【００５０】
図８は、受容層転写材２０１の転写層２０８が転写されたチケット基材２１１の断面図である。図８は、チケット３０の顔写真３２部分の断面図に相当する。チケット基材２１１に転写された転写層２０８の表面には色材受容層２０４が露出している。露出した色材受容層２０４に色材を移行して、顔写真３２を熱転写画像として形成することができる。チケット基材２１１の材料には、例えば、天然繊維紙やコート紙を用いることができる。
【００５１】
次に、受容層転写材２０１の各層について説明する。
【００５２】
基材２０２としては、サーマルヘッド等の熱に耐える耐熱性、機械的強度、製造プロセスに耐える機械的強度、耐溶剤性などがあれば、用途に応じて種々の材料が適用できる。例えば、ポリエチレンテレフタレート、ポリブチレンテレフタレ−トなどのポリエステル系樹脂が適用できる。
【００５３】
離型層２０３は、基材２０２と色材受容層２０４との間に設けられ、加熱時に色材受容層２０４を含めた転写層２０８を基材２０２から剥離し易くするものである。熱転写時に、離型層３と色材受容層２０４との間で剥離が生じる。
【００５４】
離型層２０３は、ワックス類、シリコーンワックス、シリコーン樹脂、弗素樹脂等の如く離型性に優れた材料、あるいはサーマルヘッドの熱によって溶融しない比較的高軟化点の樹脂、あるいはこれらの樹脂にワックス等の熱離型剤を含有させた樹脂から形成する。比較的高軟化点の樹脂としては、例えば、アクリル系樹脂、ポリウレタン樹脂などが挙げられる。
【００５５】
色材受容層２０４の材料としては、例えば、ポリプロピレン等のポリオレフィン系樹脂、ポリ塩化ビニルもしくはポリ塩化ビニリデン等のハロゲン化樹脂、ポリ酢酸ビニル、塩化ビニル−酢酸ビニル系共重合体、エチレン−酢酸ビニル共重合体もしくはポリアクリル酸エステル等のビニル系樹脂、ポリエチレンテレフタレートもしくはポリブチレンテレフタレート等のポリエステル樹脂、ポリスチレン系樹脂、ポリアミド系樹脂、エチレンもしくはプロピレン等のオレフィンと他のビニルポリマーとの共重合体系樹脂、アイオノマーもしくはセルロースジアセテート等のセルロース系樹脂、ポリカーボネート、ポリビニルアセタール系樹脂、ポリビニルアルコール系樹脂等の熱可塑性樹脂を挙げることができる。これらのうち、特に、ビニル系樹脂、塩化ビニル系樹脂、アクリル−スチレン系樹脂またはポリエステル樹脂が好ましい。
【００５６】
レリーフ形成層２０５を構成する材料としては、ポリ塩化ビニル、アクリル樹脂（例、ポリメチル（メタ）アクリレート）、ポリスチレン、ポリカーボネート等の熱可塑性樹脂、そして、不飽和ポリエステル、メラミン、エポキシ、ポリエステル（メタ）アクリレート、ウレタン（メタ）アクリレート、エポキシ（メタ）アクリレート、ポリエーテル（メタ）アクリレート、ポリオール（メタ）アクリレート、メラミン（メタ）アクリレート、トリアジン系アクリレート等の熱硬化性樹脂を硬化させたもの、不飽和エチレン系モノマーと不飽和エチレン系オリゴマーを適宜混合したものに増感剤を添加した組成物等の紫外線硬化性樹脂を硬化させたもの、或いは、上記熱可塑性樹脂と熱硬化性樹脂の混合物やラジカル重合性不飽和基を有する熱成形性物質が使用可能である。
【００５７】
レリーフ形成層２０５の表面に、レリーフが形成されているスタンパ（金属版、又は樹脂版）を圧着（所謂エンボス）して、該レリーフをレリーフ形成層へ形成（複製）した後に、スタンパを剥離することでレリーフ形状を作成する。商業的複製の方法は、金型又は樹脂型のスタンパを用いて、レリーフ形成層２０５の表面へエンボスしてレリーフを複製した後に電離放射線を照射するか、又は、エンボス中に電離放射線を照射してからスタンパを剥離することでレリーフを複製する。電離放射線としては、紫外線（ＵＶ）、可視光線、ガンマ線、Ｘ線、または電子線などが適用できる。
【００５８】
レリーフ構造を設けたレリーフ形成層面のレリーフへ、反射層２０６を設けることにより、レリーフの白色反射機能が明瞭に視認できるようになる。反射層２０６は、光を反射する金属を用いると反射タイプと、透明タイプとがある。反射タイプの反射層２０６としては、Ｃｒ、Ｎｉ、Ａｇ、Ａｕ、Ａｌ等の金属、及びその酸化物、硫化物、窒化物等の薄膜を単独で用いてもよく、複数を組み合わせたものを用いてもよい。透明タイプの反射層２０６としては、レリーフ形成層面と屈折率に差のある透明金属化合物が適用でき、例えば、ＺｎＳ、酸化スズ、酸化チタンである。なお、この透明とは、可視光が十分透過すれば良く、無色または有色で透明なものも含まれる。上記の金属、又は透明金属化合物の形成は、いずれも１０〜２０００ｎｍ程度、好ましくは２０〜１０００ｎｍの厚さになるよう、真空蒸着法、スパッタリング法、イオンプレーティング法などの真空薄膜法で得られる。
【００５９】
接着層２０７は、熱で溶融又は軟化して接着する熱接着型接着剤が適用でき、例えばアイオノマー樹脂、酸変性ポリオレフィン系樹脂、エチレン‐（メタ）アクリル酸共重合体、エチレン‐（メタ）アクリル酸エステル共重合体、ポリエステル系樹脂、ポリアミド系樹脂、塩ビ系樹脂、酢ビ系樹脂、塩化ビニル−酢酸ビニル共重合体、アクリル系・メタクリル系などの（メタ）アクリル系樹脂、アクリル酸エステル系樹脂、マレイン酸樹脂、ブチラール系樹脂、アルキッド樹脂、ポリエチレンオキサイド樹脂、フェノール系樹脂、ユリア樹脂、メラミン樹脂、メラミン‐アルキッド樹脂、セルロース系樹脂、ポリウレタン系樹脂、ポリビニールエーテル樹脂、シリコーン樹脂、ゴム系樹脂などが適用でき、これらの樹脂を単独または複数を組み合せて使用する。これらの接着層２０７の樹脂は、チケット基材との親和性を考慮して選択される
【００６０】
アンカー層２０９は、色材受容層２０４とレリーフ形成層２０５との間に設けられ、両者の接着性を向上させるものである。アンカー２０９層としては、例えば、ポリウレタン系樹脂、ポリエステル系樹脂、ポリアミド系樹脂、エポキシ系樹脂、フェノ−ル系樹脂、ポリ塩化ビニル系樹脂、ポリ酢酸ビニル系樹脂、塩化ビニル−酢酸ビニル共重合体、酸変性ポリオレフィン系樹脂、エチレンと酢酸ビニル或いはアクリル酸などとの共重合体、（メタ）アクリル系樹脂、ポリビニルアルコール系樹脂、ポリビニルアセタール樹脂、ポリブタジエン系樹脂、ゴム系化合物、石油系樹脂、アルキルチタネ−ト系化合物、ポリエチレンイミン系化合物、イソシアネ−ト系化合物、メラミン樹脂、澱粉、カゼイン、アラビアゴム、セルロ−ス誘導体、ワックス類などを使用することができる。レリーフ形成層２０５と色材受容層２０４との接着性が高ければ、このアンカー層２０９は省略してよい。
【００６１】
次に、チケット基材に転写層２０８を転写し、熱転写画像を形成する方法について説明する。図９は、熱転写画像を形成するためのプリンタ２４Ｂの概略図である。プリンタ２４Ｂのプリンタヘッド２５１とプラテンローラ２５２を有するヘッドユニットに転写シート２２０をセットする。
【００６２】
図１０は、転写シート２２０の平面図である。図１０に示すように、転写シート２２０の共通基材の一方の面には、受容層転写材２０１の離型層２０３／色材受容層２０４／アンカー層２０９／レリーフ形成層２０５／反射層２０６／接着層２０７を順に積層した転写層領域２２１と、色材層としての染料層領域とが設けられている。染料層領域には、Ｙ（イエロー）領域、Ｍ（マゼンタ）領域、Ｃ（シアン）領域、Ｂｋ（ブラック）領域が含まれる。転写層領域２２１と染料層領域とが交互に配置される。Ｂｋ領域は省略してもよい。
【００６３】
給紙部からチケット基材２１１を搬送し、プリンタヘッド２５１とプラテンローラ２５２との間に到達させる。次に、プリンタヘッド２５１を用いて転写シート２２０の転写層領域２２１をチケット基材２１１に押し付けて加熱し、チケット基材２１１上に転写層２０８を転写する。これにより、図８に示すような、転写層２０８が転写されたチケット基材２１１が得られる。
【００６４】
転写層２０８の転写後、プリンタヘッド２５１を上昇させ、チケット基材２１１を給紙部側に戻すとともに、転写シート２２０を転写層領域２２１とＹ領域との間隔分だけ繰り出す。続いて、ユーザＰの顔画像データに対応したパターンで転写シート２２０のＹ領域を加熱し、転写層２０８の表面に露出した色材受容層２０４にイエロー染料を移行させる。その後、同様の処理を行い、マゼンタ染料、シアン染料、ブラック染料を色材受容層２０４に移行させる。このように、チケット基材２１１上に受容層を転写し、該受容層に色材を移行することで、チケット３０の顔写真３２を熱転写画像として形成することができる。
【００６５】
チケット３０のチケット情報３１は、顔写真３２と同じプリンタ２４Ａ、２４Ｂで印字してもよいし、別のプリンタで印字してもよい。
【００６６】
プリンタ２４Ａ又は２４Ｂによりプリントされたチケット３０の顔写真３２は、熱転写画像が形成された受容層を含む複数の層の積層体が、接着層によりチケット基材に接着されたものである。そのため、この積層体をチケット基材から剥がすことは困難であり、顔写真３２の改竄を防止し、転売目的のチケット購入を効果的に防止できる。
【００６７】
また、チケット３０の顔写真領域は複数の層の積層体により構成されているため、チケット３０の顔写真領域以外の部分と比較して厚みが増している。仮に積層体を剥がし、剥がした箇所に色材を転写して別人の顔画像を印刷しても、正規のチケット（改竄されていないチケット）と比較すると、顔写真部分の厚みが薄くなる。そのため、イベント会場にて係員がチケットの顔写真部分に触れることで、厚みの違いから、顔写真の改竄に容易に気付くことができる。
【００６８】
顔写真３２を構成する積層体の各層が透明性のあるものであり、かつ色材に（昇華性）染料を使用する場合、図１１に示すように、チケット基材の少なくとも一部、例えば表面、に絵柄が印刷されたものを用いることで、顔写真３２部分から絵柄が透けて見え、チケット３０の意匠性を向上させることができる。また、このように絵柄の入ったチケット基材から、熱転写画像（顔画像）を含む積層体を剥がした場合、チケット基材表面の絵柄も剥がれる。その後、別人の顔画像を含む熱転写画像を形成しても、顔写真３２部分から絵柄が透けて見えることはなく、顔写真を改竄したことが容易に視認できる。
【００６９】
チケット基材に印刷された絵柄を、顔写真領域に転写された積層体を通して目視可能とするために、積層体の透過率は１％以上であることが好ましく、３％以上であることがより好ましい。
【００７０】
このように、チケット３０の顔写真３２の改竄を困難にすると共に、改竄が行われたことが容易に判別できるようにすることで、転売目的のチケット購入を効果的に防止することができる。
【００７１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７２】
１０  ユーザ端末
２０  チケット発行装置
２１  ＷＥＢサーバ
２２  発行処理部
２３  チケット情報記憶部
２４  プリンタ
３０  チケット
３２  顔写真
【図１】
2017157082.tif 000003
【図２】
2017157082.tif 000004
【図３】
2017157082.tif 000005
【図４】
2017157082.tif 000006
【図５】
2017157082.tif 000007
【図６】
2017157082.tif 000008
【図７】
2017157082.tif 000009
【図８】
2017157082.tif 000010
【図９】
2017157082.tif 000011
【図１０】
2017157082.tif 000012
【図１１】
2017157082.tif 000013